(57)【要約】本発明は回動蓋式の閉蓋具（３０；１００；２００）に関し、その閉蓋具は、上部側の環状の肩部（４２；１０８；２１２）と放出開口（５０）に続く貫通チャネル（３８）とが設けられた閉蓋具本体（３２；２１４）を有する。回動蓋式の閉蓋具は回動する蓋（３４；１１４；２０８）をも有し、回動する蓋には蓋エンクロージャー（４８；１１２；２１６）が設けられ、回動する蓋はヒンジ（５６）によって閉じた位置と開いた位置との間を回動するように枢支され、回動する蓋には、回動する蓋（３４；１１４；２０８）の表面に配置され回動する蓋（３４；１１４；２０８）の円周の一部に亘って延在する蓋エンクロージャー（４８；１１２；２１６）の半径方向の凹部（５８；１１８；２２０）が設けられている。回動蓋式の閉蓋具は勝手な開封を明らかにする細片（６０；１０４；２０４）をも有し、細片は閉蓋具本体（３２；２１４）の環状の肩部（４２；１０８；２１２）の上で周方向に延在し、細片の底部エッジは予め決められた破壊箇所（６４）によって環状の肩部（４２；１０８；２１２）に取り付けられていて、細片は回動する蓋（３４；１１４；２０８）がもともとの閉じた位置にあるとき凹部（５８；１１８；２２０）内に弓状に突出している。引き剥がし開口（６６）を形成するために、蓋エンクロージャー（４８；１１２；２１６）の凹部（５８；１１８；２２０）の周方向の長さは蓋エンクロージャー（４８；１１２；２１６）の少なくとも周方向で勝手な開封を明らかにする細片（６０；１０４；２０４）の周方向の長さより長い。勝手に開封されていない状態を示す位置では、勝手な開封を明らかにする細片（６０；１０４；２０４）は勝手な開封を明らかにする細片（６０；１０４；２０４）を正の係合および／または非正の係合によって回動する蓋（３４；１１４；２０８）に連結する装置（６８，７０，７２，７４，７６，７８，８０，８２；１０６，１０８，１１０；２０２，２０６，２１０）によって保持されている。
2005529804.tif 000002
【特許請求の範囲】
【請求項１】
自由に流動する材料を収容する容器用の回動蓋式の閉蓋具（３０；１００；２００）であって、
上記容器の開口を通して上記容器に結合された底部の開いた端部と、上部側の環状の肩部（４２；１０８；２１２）と、上記自由に流動する材料のための貫通チャネル（３８）とを備え、上記貫通チャネルは上記容器の内部に結合されていて出口開口（５０）で外側に開いている、閉蓋具本体（３２；２１４）と、
上記閉蓋具本体（３２；２１４）を覆って部分的に係合する位置と上記出口開口（５０）を露出させる位置との間を回動するように上記閉蓋具本体（３２；２１４）の上記上部側の周縁部に取り付けられ、蓋シェル（４８；１１２；２１６）を備えた回動する蓋（３４；１１４；２０８）と、
上記回動する蓋（３４；１１４；２０８）の上記ヒンジ（５６）の反対側に位置する前面側に設けられ上記回動する蓋（３４；１１４；２０８）の円周の一部に亘って延在する、上記蓋シェル（４８；１１２；２１６）に設けられた半径方向の凹部（５８；１１８；２２０）と、
上記閉蓋具本体（３２；２１４）の上記環状の肩部（４２；１０８；２１２）の外側周縁部で周方向に弓状に延在し、予め決められた破壊箇所（６４）を介して上記環状の肩部（４２；１０８；２１２）にしっかりと取り付けられた底部エッジを備え、上記回動する蓋（３４；１１４；２０８）のもともとの閉じた位置では上記閉蓋具本体（３２；２１４）の円周の一部に亘って弓状に上記蓋シェル（４８；１１２；２１６）の上記凹部（５８；１１８；２２０）内に上向きに突出する、勝手な開封の防止を確保する細片（６０；１０４；２０４）と
を有し、
上記蓋シェル（４８；１１２；２１６）の上記凹部（５８；１１８；２２０）が、上記勝手な開封の防止を確保する細片（６０；１０４；２０４）のための引き剥がし開口（６６）を形成するために上記蓋シェル（４８；１１２；２１６）の少なくとも周方向で上記勝手な開封の防止を確保する細片（６０；１０４；２０４）の周方向の長さよりも大きい寸法の周方向の長さを有し、
上記勝手な開封の防止を確保する細片が上記回動する蓋（３４；１１４；２０８）の上記凹部内で保護され、手付かずの状態であることを示す垂直位置では、上記勝手な開封の防止を確保する細片（６０；１０４；２０４）が、上記勝手な開封の防止を確保する細片（６０；１０４；２０４）および上記回動する蓋（３４；１１４；２０８）を互いに形状が適合したまたは力が適合した形態で結合する装置（６８，７０，７２，７４，７６，７８，８０，８２；１０６，１０８，１１０；２０２，２０６，２１０）によって保持されている、回動蓋式の閉蓋具。
【請求項２】
少なくともひとつのスナップインフック（６８）が凹部（５８）の半径方向内側の後部壁を形成する蓋シェル（４８）の底部エッジ（６２）から回動蓋式の閉蓋具（３０）の主軸（ｘ）に対して半径方向外向きに突出し、
勝手な開封の防止を確保する細片（６０）には、上記細片の底部エッジの領域に上記スナップインフック（６８）のための少なくともひとつのラッチエッジ（７０）が設けられている、請求項１記載の閉蓋具。（第１の実施の形態）
【請求項３】
少なくともひとつの固定開口（８０）が回動する蓋（３４）の把持リッジ（７４）の下側に設けられていて、上記固定開口（８０）が勝手な開封の防止を確保する細片（６０）の上部エッジを少なくとも部分的に取り囲む、請求項１記載の閉蓋具。（第１の実施の形態）
【請求項４】
少なくともひとつの固定ピン（７８）が勝手な開封の防止を確保する細片（６０）の上部エッジから上向きに突出し、
少なくともひとつの対応する固定開口（８０）が回動する蓋（３４）の把持リッジ（７４）の下側に設けられている、請求項２または請求項３記載の閉蓋具。（第１の実施の形態）
【請求項５】
勝手な開封の防止を確保する細片（６０）が閉蓋具本体（３２）の環状の肩部（４２）の半径方向外側の軸方向に変位した弓形の段部（８２）にしっかりと取り付けられていて、上記弓形の段部の半径方向の幅は、上記勝手な開封の防止を確保する細片（６０）の半径方向の幅および蓋シェル（４８）に設けられたスナップインフック（６８）の半径方向の幅の合計にほぼ相当する、請求項２乃至請求項４のいずれかに記載の閉蓋具。（第１の実施の形態）
【請求項６】
把持リッジ（７４）が半円以下または半円以上に亘って延在し、回動する蓋（３４）の手付かずの位置では、勝手な開封の防止を確保する細片（６０）の少なくとも上部エッジを覆い上記細片の円周面に整合する、請求項１記載の閉蓋具。（第１の実施の形態）
【請求項７】
少なくともひとつの保持要素（１０２）が勝手な開封の防止を確保する細片（１０４）の内側に一体的に形成されていて、
回動する蓋（１１４）の閉じた位置では、上記保持要素が半径方向内向きに延在し、上記回動する蓋（１１４）が蓋シェル（１１２）の部分で上記保持要素にのって配置されている、請求項１または請求項２記載の閉蓋具。（第２の実施の形態）
【請求項８】
少なくともひとつの保持要素（１０２）がＵ形の形状を有し閉じた回動する蓋（１１４）の蓋シェル（１１２）を囲んで係合し、その場合には２個の脚部のうちのひとつは勝手な開封の防止を確保する細片（１０４）によって形成されていて、横材（１０６）が上記蓋シェル（１１２）のための支持部として上記細片（１０４）の底部エッジから半径方向内向きに延在して上記勝手な開封の防止を確保する細片（１０４）の半径方向内側面と平行に延在する第２の脚部（１１０）と結合している、請求項７記載の閉蓋具。（第２の実施の形態）
【請求項９】
少なくともひとつのＵ形の保持要素（１０２）がスナップインフック（１１６）の両側に配置されている、請求項７または請求項８記載の閉蓋具。（第２の実施の形態）
【請求項１０】
回動する蓋（２０８）の少なくともひとつのスナップインフック（２０６）のための勝手な開封の防止を確保する細片（２０４）の少なくともひとつのラッチエッジ（２０２）が、上記勝手な開封の防止を確保する細片（２０４）の一体的な構成要素として閉蓋具本体（２１４）の環状の肩部（２１２）に向かって半径方向内向きに延在し上記環状の肩部（２１２）から軸方向に離れたところで終端する自由端部を備えた少なくともひとつのラッチ舌部（２１０）によって形成されている、請求項１または請求項２記載の閉蓋具。（第３の実施の形態）
【請求項１１】
少なくともひとつのラッチエッジ（２０２）の回動する蓋（２０８）を向いた側が閉蓋具本体（２１４）の環状の肩部（２１２）に向かって半径方向内向きに傾斜し、少なくともひとつのスナップインフック（２０６）の上記少なくともひとつのラッチエッジ（２０２）を向いた側が対応して傾斜している、請求項１０記載の閉蓋具。（第３の実施の形態）
【請求項１２】
少なくともひとつのスナップインフック（２０６）のラッチエッジ（２０２）を向いた側が蓋シェル（２１６）の底部エッジと同じレベルで配置されていて、この部分の上記底部エッジの高さが上記スナップインフック（２０６）の高さ分だけ低くされている、請求項１０または請求項１１記載の閉蓋具。（第３の実施の形態）
【請求項１３】
蓋シェル（２１６）の少なくともひとつの半径方向内向きのセットバック部分には、上記後退した部分の半径方向の凹部（２２０）の領域に少なくともひとつの半径方向外側のラッチ肩部（２２２）が設けられていて、上記肩部（２２２）は回動する蓋（２０８）の閉じた位置で勝手な開封の防止を確保する細片（２０４）のラッチ舌部（２１０）のラッチエッジ（２０２）の下側で係合する、請求項１０乃至請求項１２のいずれかに記載の閉蓋具。（第３の実施の形態）
【請求項１４】
蓋シェル（２１６）の半径方向のセットバック部分（２１８）が、勝手な開封の防止を確保する細片（２０４）のラッチ舌部（２１０）のための軸に平行なガイド溝（２２４）として構成されていて、上記ラッチ舌部（２１０）を含めた勝手な開封の防止を確保する細片（２０４）の半径方向の寸法および回動する蓋（２０８）のスナップインフック（２０６）の半径方向の寸法の合計にほぼ相当する分だけ半径方向内向きに変位している、請求項１０乃至請求項１３のいずれかに記載の閉蓋具。（第３の実施の形態）
【請求項１５】
閉蓋具本体（２１４）に向けられているラッチ肩部（２２２）の底部エッジが、蓋シェル（２１６）の底部エッジと整合している、請求項１０乃至請求項１４のいずれかに記載の閉蓋具。（第３の実施の形態）
【請求項１６】
閉蓋具本体（３２）のキャップシェル（３６）の内側には上記閉蓋具本体（３２）を容器の開口を取り囲む容器ネック部にしっかりと取り付ける締結手段（４０）が設けられていて、半径方向内側の環状の肩部（４２）は上記キャップシェルの上側端部と境を接し貫通チャネル（３８）を形成する管状の出口ノズル（４４）に結合していて、
回動する蓋（３４；１１４；２０８）の内側には上記回動する蓋（３４；１１４；２０８）が閉じられているときに上記出口ノズル（５０）を密閉するための同軸の管状の閉鎖ノズル（２２８）が設けられている、請求項１乃至請求項１５のいずれかに記載の閉蓋具。
【発明の詳細な説明】
【技術分野】
【０００１】
本発明は、自由に流動する材料を収容する容器用の回動蓋式の閉蓋具に関する。その閉蓋具は、
容器の開口を通して容器に結合された底部の開いた端部と、上部側の環状の肩部と、自由に流動する材料のための貫通チャネルとを備え、貫通チャネルは容器の内部に結合されていてかつ出口開口で外側に開いている、閉蓋具本体と、
閉蓋具本体を覆って部分的に係合して出口開口を閉鎖する位置と、出口開口を露出させる位置との間を回動するようにヒンジによって閉蓋具の上部側の周縁部に連結された蓋シェルを備えた回動する蓋と、
ヒンジとは反対側に配置された正面側で回動する蓋に設けられていて、回動する蓋の周縁部の一部に亘って延在する、蓋シェルに設けられた半径方向の凹部と、
閉蓋具の環状の肩部の外側周縁部で周方向に弓状に延在し、予め決められた破壊箇所で環状の肩部に固定された底部エッジを有し、回動蓋のもともとの閉じた位置では閉蓋具本体の円周の一部に亘って弓状に蓋シェルの凹部内に上向きに突出する、引き剥がし式の勝手な開封の防止を確保する細片と
を有し、
蓋シェルの凹部は、勝手な開封の防止を確保する細片のための引き剥がし開口を形成するために少なくとも蓋シェル周方向で勝手な開封の防止を確保する細片の周方向の長さより長い寸法の周方向の長さを有する。
【背景技術】
【０００２】
上記の通常のタイプの前面の回動蓋式の閉蓋具は従来の技術に属し、例えばスキンローション、浴用ゲルまたはスキンオイルなどの自由に流動するボディケア製品のような大量消費用の商品、例えば家具艶出し剤または調理具用の洗浄剤などの家庭用および台所用製品、または、例えばケチャップまたは醤油などの食べ物に添加するためまたは食べ物に味付けするために用いられる物質用として意図されている容器またはビンに用いられることが多い。勝手な開封の防止を確保する手段を備えた回動蓋式の閉蓋具は、容器および回動蓋式の閉蓋具からなるパックが許可なしに操作されたことを明らかにするためにドラッグストアおよび薬局の物質にも用いられている。大量生産される物品を構成するそのような回動蓋式の閉蓋具用の勝手な開封の防止を確保する手段は費用対効果を高くして製造できなければならず、とりわけ勝手な開封の防止を確保する手段に対する高いレベルの信頼性を確実にしなければならない。したがって、そのような回動蓋式の閉蓋具用の勝手な開封の防止を確保する手段をさらに改良することが意図されている。
【発明の内容の開示】
【０００３】
したがって本発明の目的は、道具に類似した物品を用いずにまたは用いて、勝手な開封の防止を確保する細片がその上部エッジで握られず、勝手な開封の防止を確保する細片を閉蓋具に結合している予め決められた破壊箇所を壊すことなく予め決められた破壊箇所に沿って外向きに曲げられないという点で、勝手な開封の防止を確保する細片が設けられたそのような容器が操作から守られる程度を改善することである。
【０００４】
本発明は、手付かずの状態を示し勝手な開封の防止を確保する細片が回動する蓋の凹部によって保護されている垂直位置で勝手な開封の防止を確保する細片が保持装置によって保護されていてかつ形状が適合したおよび／または力が適合した形態で回動する蓋に結合されているという点でこの目的を達成している。
【０００５】
これによって、回動蓋式の閉蓋具を明らかにすることなく、すなわち勝手な開封の防止を確保する細片を閉蓋具本体に結合している予め決められた破壊箇所を壊さずにそしてその結果勝手な開封の防止を確保する細片が閉蓋具本体から分離されることなく、回動蓋式の閉蓋具を開けることが実質的に不可能なので、回動蓋式の閉蓋具が操作から守られる程度が改善される。
【０００６】
本発明の第１の実施の形態に基づけば、少なくともひとつのスナップインフックが、回動蓋式の閉蓋具の主軸に対して、凹部の半径方向内側の後部壁を形成する蓋シェルの底部エッジから半径方向外向きに延出している。勝手な開封の防止を確保する細片には、細片の底部エッジの領域に、スナップインフックのための少なくともひとつのラッチエッジが設けられている。さらに、少なくともひとつの固定開口が回動する蓋の把持リッジの下側に設けられていて、固定開口は少なくとも部分的に勝手な開封の防止を確保する細片の上部エッジを取り囲む。この第１の実施の形態の別の構成では、少なくともひとつの固定ピンが勝手な開封の防止を確保する細片の上部エッジから上向きに突出していて、少なくともひとつの対応する固定開口が回動する蓋の把持リッジの下側に設けられている。勝手な開封の防止を確保する細片は閉蓋具本体の環状の肩部の半径方向外側にかつ軸方向に変位した弓形の段部にしっかりと取り付けられていて、この弓形の段部の半径方向の幅は勝手な開封の防止を確保する細片の半径方向の幅および蓋シェルのスナップインフックの半径方向の幅の合計にほぼ相当している。把持リッジは半円よりも大きくまたは小さく延在することが可能であり、回動する蓋の手付かずの位置では把持リッジは勝手な開封の防止を確保する細片の少なくとも上部エッジを覆い勝手な開封の防止を確保する細片の円周面と整合することが可能である。
【０００７】
第２の実施の形態に基づけば、保持要素は勝手な開封の防止を確保する細片の内側に一体的に形成されていて、保持要素は半径方向内向きに延在し、回動する蓋が閉じた位置のときに回動する蓋は回動する蓋の蓋シェルの部分で保持要素にのって配置されている。ここで保持要素はＵ形の形状を呈していて、閉じたときの回動する蓋の蓋シェルを囲んで係合することが可能で、その場合にはＵ形の保持要素の２つの脚部のうちのひとつの脚部は勝手な開封の防止を確保する細片によって形成され、細片の底部エッジからはＵ形の保持要素の横材が蓋シェルの支持部として半径方向内向きに延在していてＵ形の保持部材の第２の脚部と結合していて、第２の脚部は勝手な開封の防止を確保する細片の半径方向内側面に平行に延在している。Ｕ形の保持要素はスナップインフックの両側に配置されているのが有益である。
【０００８】
第３の実施の形態に基づけば、回動する蓋の少なくともひとつのスナップインフックに対して、勝手な開封の防止を確保する細片の少なくともひとつのラッチエッジが少なくともひとつのラッチ舌部によって形成されていて、ラッチ舌部は勝手な開封の防止を確保する細片の一体的な構成要素として閉蓋具本体の環状の肩部に向かって半径方向内向きに延在していて、ラッチ舌部の自由端部は肩部から軸方向にある間隔だけ離れて終端している。スナップインフックのラッチエッジを向いた側は好ましくは蓋シェルの底部エッジとおじレベルで配置されていて、この部分の底部エッジの高さはスナップインフックの高さの分だけ低くされている。蓋シェルの少なくともひとつの半径方向内向きのセットバック部分には、蓋シェルの半径方向の凹部の領域内に、少なくともひとつの半径方向外向きのラッチ肩部が設けられていて、そのラッチ肩部は回動する蓋の閉じた位置で勝手な開封の防止を確保する細片のラッチ舌部のラッチエッジの下側で係合するとさらに有益である。
【０００９】
この第３の実施の形態の別の構成では、蓋シェルの半径方向のセットバック部分が勝手な開封の防止を確保する細片のラッチ舌部のためのガイド溝として設計されていてラッチ舌部を含めた勝手な開封の防止を確保する細片の半径方向の寸法および回動する蓋のスナップインフックの半径方向の寸法の合計にほぼ相当する分だけ半径方向内向きに変位していることが望ましい。さらに、閉蓋具本体に向けられているラッチ肩部の底部エッジが蓋シェルの底部エッジと一直線に並んでいると有益である。
【発明を実施するための最良の形態】
【００１０】
本発明が本発明の開示の例示的な実施の形態の模式的な図面を参照して以下により詳しく記載される。
【００１１】
図１から図８は、自由に流動する材料を収容する公知のしたがって図示されていないビンまたは容器用の回動蓋式の閉蓋具３０の第１の実施の形態を示している。回動蓋式の閉蓋具３０は容器の開口を通して容器に結合された底部の開いた端部と上部側の環状の肩部４２と自由に流動する材料のための貫通チャネル３８とを備えた閉蓋具本体３２を有し、貫通チャネル３８は容器の内部に結合されていて出口開口５０で外側に向けて開いている。
【００１２】
蓋シェル４８を備えた回動する蓋３４も設けられていて、回動する蓋３４は蓋３４が閉蓋具本体３２に部分的に係合し出口開口５０を閉鎖する位置と蓋３４が出口開口５０を露出させる位置との間を回動するようにヒンジ５６によって閉蓋具本体３２の上部側の周縁部に結合されている。蓋シェル４８の半径方向の凹部５８は、ヒンジ５６と反対側に配置された回動する蓋３４の正面側に設けられていて、凹部５８は回動する蓋３４の周縁部の一部に亘って延在している。
【００１３】
勝手な開封の防止を確保する細片６０は閉蓋具本体３２の環状の肩部４２の外側周縁部に円方向に沿って弓状に延在していて、細片６０の底部エッジは予め決められた破壊部分６４を介して環状の肩部４２にしっかりと取り付けられている。回動する蓋３４のもともとの閉じられた位置では、勝手な開封の防止を確保する細片６０は閉蓋具本体３２の円周の一部に亘って弓状に蓋シェル４８の凹部５８内に上向きに突出していて、蓋シェル４８の凹部５８は勝手な開封の防止を確保する細片６０のための引き剥がし開口６６（図４）を形成するために少なくとも蓋シェル４８の周方向に沿って勝手な開封の防止を確保する細片６０の周方向の長さよりもより大きな周方向の長さを有している。
【００１４】
閉蓋具本体３２のキャップシェル３６の内側には、締結手段が、この例示的な実施の形態では閉蓋具本体３２を開口を取り囲む容器のネック部に設けられた対応する外側のねじ山に螺合させるねじ山４０が、設けられている。もちろん、知られているようにクリップイン突起部、溶接、または容器と閉蓋具本体を一体的に形成することなどの別の締結方法も同様に用いることができる。キャップシェル３２の底部端部では、公知の形態で、勝手な開封の防止を確保する一回りの細片４１がひとつまたは複数の予め決められた破壊箇所（図示されていない。）を介して内側突起部４３にしっかりと取り付けられていて、内側突起部４２は容器のネック部の環状のビードの下で係合してもし閉蓋具本体３２が容器のネック部からねじってはずされる場合に勝手な開封の防止を確保する細片４２を保持する。
【００１５】
環状の肩部４２はキャップシェル３６の上部端部と境を接し、貫通チャネル３８を形成する管状の出口ノズル４４と結合している。出口ノズル４４は外側の自由端部に向けて僅かに円錐形の形状で先細りになっていて、したがって飲用ノズルとしても用いることができる。
【００１６】
環状の肩部４２の下側では、閉蓋具本体３２と容器のネック部の端部面とを密閉された関係にするために容器に向けて斜めに内側に向けられた一周する密閉リップ部４６がキャップシェル３６の内側から半径方向にある間隔のところで設けられている。
【００１７】
回動する蓋３４は蓋シェル４８によって閉蓋具本体３２の上部の出口ノズル４４によって形成された外側端部を覆って係合し、この外側端部には、閉蓋具本体３２の貫通チャネル３８と同軸の関係で配列された出口開口５０（図１および図３）が設けられている。回動する蓋３４はさらにヘッド壁５２の下側から下向きに延出する管状のスタブ５４によって閉蓋具本体３２の出口ノズル４４を覆って係合し、管状のスタブ５４の内側円周面によって出口ノズル４４の外側円周面に密閉しながら密着する。
【００１８】
回動する蓋３４は閉蓋具本体３２に一体的に結合され、蓋３４が図３、図６、および図７に示されている閉じた位置と図１、図２、図３、図４、図５、および図８に示され出口ノズル４４の出口開口５０が露出されている開いた位置との間を回動するようにヒンジ５６によって配列されている。
【００１９】
勝手な開封の防止を確保する細片６０は垂直に、すなわち回動蓋式の閉蓋具３０の主軸と軸が平行な形態で、そして閉蓋具３０の周方向では弓状に、蓋シェル４８の対応する形状の凹部５８内に突出していて、勝手な開封の防止を確保する細片６０の外側円周面が回動蓋式の閉蓋具３０の外側の包囲面内に配置されて、回動蓋式の閉蓋具３０の製造または取り付けをより困難にすることがないようにされている。
【００２０】
本発明に基づけば、手付かずの状態を示し回動する蓋３４の凹部５８内に保護されている垂直な位置では、勝手な開封の防止を確保する細片６０は細片６０を回動する蓋３４に形状が適合したおよび／または力が適合した形態で結合する装置によって保持されている。
【００２１】
第１の実施の形態に基づけば、保持装置は、特に、凹部５８の内側後方壁を形成する蓋シェル４８の底部エッジ６２から回動蓋式の閉蓋具３０の主軸ｘに対して半径方向外向きに突出する２つのスナップインフック６８を有する。勝手な開封の防止を確保する細片６０の底部エッジの領域にはスナップインフック６８のための２個のラッチエッジ７０が設けられていて、ラッチエッジ７０は勝手な開封の防止を確保する細片６０の底部エッジの長方形の切欠き部７２によって形成されている。もちろん、ただ１個だけのスナップインフック６８または２個より多いスナップインフック６８を回動する蓋３４に設けて対応する個数のラッチエッジ７０を勝手な開封の防止を確保する細片６０に設けることも可能である。
【００２２】
この実施の形態の保持装置は、回動する蓋３４の把持リッジ７４に繋留される勝手な開封の防止を確保する細片６０の上部エッジ７６をも含んでいる。このようにするために、好ましくは２個の固定ピン７８が勝手な開封の防止を確保する細片６０の上部エッジ７６から上向きに突出している。したがって、固定ピン７８と係合するために、２個の対応するポケットに類似した固定開口８０が回動する蓋３４の把持リッジ７４の下側に設けられている。もともとの閉じた位置では、したがって２個の固定ピン７８は２個の固定開口８０と係合していて、同時に固定開口８０の両側の勝手な開口の防止を確保する細片６０の上部エッジ７６の低いレベルの部分は把持リッジ７４の平坦な下側と直接当接し、勝手な開封の防止を確保する細片６０を越えて外側に突出する把持リッジ７４によって細片６０が許可されていない操作から保護される。このような勝手な開封の防止を確保する細片６０のその上部エッジ７６での固定は、図１、図４、および図８に明瞭に示されているようにスナップインフック６８およびラッチエッジ７０による固定の両側に変位して配置されている。スナップインフック６８は勝手な開封の防止を確保する細片６０の下でラッチエッジ７０と係合しているので、上部エッジ７６および固定ピン７８は把持リッジ７４の固定開口８０に半永久的かつ確実に包囲される。したがって、各々の使用条件および回動する蓋の寸法に応じて、少なくともひとつの固定ピンを少なくともひとつの対応する固定開口と共に用いることが可能であり、すなわち、単一の固定開口が勝手な開封の防止を確保する細片６０の同じレベルに配置された上部エッジ全体と係合するための弓形の長手方向の溝を形成してもよい。
【００２３】
このようにして、勝手な開封の防止を確保する細片６０の上部エッジ７６には道具に類似した器具を用いてアクセスできないことおよび勝手な開封の防止を確保する細片６０が予め決められた破壊箇所６４が壊された結果、回動する蓋３４を開ける目的のみで除去されることも事実であることが分かる。その結果、勝手な開封の防止を確保する細片６０の破壊または除去を明らかにせずに容器の内容物に許可なくアクセスすることが実質的に不可能となっている。
【００２４】
このような勝手な開封の防止を確保する細片６０の上部エッジ７６の安定した繋留は、好ましくは、かつ、かなり、勝手な開封の防止を確保する細片６０が周方向で湾曲している結果外向きの曲げに対して耐性を有し、閉蓋具本体３２の環状の肩部４２の半径方向外側の軸方向に変位した弓形の段部８２にもしっかりと取り付けられていて、この段部８２の半径方向の幅が勝手な開封の防止を確保する細片６０の半径方向の幅および蓋シェル４８のスナップインフック６８の半径方向の幅の合計にほぼ相当していることに援助されている。その結果、ラッチエッジ７０の下で係合するスナップインフック６８は、半径方向内向きに向いて段部８２と接する環状の肩部４２のほぼ軸に平行な円周面８４（図３）と勝手な開封の防止を確保する細片６０の内側との間に保持されて、したがってスナップインフック６８は固定を解除するために半径方向内向きに押すことも除去することもできない。
【００２５】
ヒンジ５６と直径をはさんで反対側に配置された把持リッジ７４は半円以上に亘ってまたは半円以下に亘って延在し、回動する蓋３４が手付かずの位置では上述したように勝手な開封の防止を確保する細片６０の少なくとも上部エッジ７６を覆い、図３に示されているように勝手な開封の防止を確保する細片６０を越えて保護する形態でより外側に突出している。
【００２６】
図９から図１５は本発明に基づく回動蓋式の閉蓋具１００の第２の実施の形態を示していて、この実施の形態では重複を避けるために同じ部分は改めて記載されず、同じ部分には第１の実施の形態で用いられた同じ符号が用いられている。
【００２７】
この第２の実施の形態では、Ｕ形の外形の２個の保持要素１０２が勝手な開封の防止を確保する細片１０４のために設けられている。この実施の形態で上向きに突出する勝手な開封の防止を確保する細片１０４はＵ形の保持要素１０２の２個の脚部のうちのひとつを形成している。Ｕ形の保持要素１０２の水平な横材１０６は勝手な開封の防止を確保する細片１０４の底部エッジの領域で細片１０４の内側から半径方向内向きに環状の肩部１０８とほぼ平行に延出し、勝手な開封の防止を確保する細片１０４から十分な間隔だけ離れて細片１０４と平行な第２の脚部１１０に当接していて、図１４に明瞭に示されているようにＵ形の保持要素１０２の各々は閉じられた回動する蓋１１４の蓋シェル１１２の底部から蓋シェル１１２に沿って係合するようになっている。環状の肩部１０８とほぼ平行なＵ形の保持部材の半径方向内向きに延在する水平な横材１０６はこの実施の形態では蓋シェル１１２のための支持部を形成している。もちろん、適切な場合には適切な寸法のただひとつの保持要素１０２を設けることも可能である。
【００２８】
この第２の実施の形態の変形例に基づけば、ある環境では、保持要素１０２の横材１０６のみが半径方向内向きに延在し、脚部１０６が省略されていても十分であり、その結果、勝手な開封の防止を確保する細片１０４を含めたＬ形の断面形状が形成される。この場合、蓋シェル１１２は、閉じた位置ではＬ形の形状の水平な脚部すなわち横材１０６にのって配置され、細片１０４が環状の肩部１０８から把持リッジ１２０の下側の凹部１１８内へ上向きに突出する位置に勝手な開封の防止を確保する細片１０４を保持する。
【００２９】
図１６から図２２は、回動する蓋２０８の少なくともひとつのスナップインフック２０６のための勝手な開封の防止を確保する細片２０４の少なくともひとつのラッチエッジ２０２が少なくともひとつのラッチ舌部２１０によって形成されている、回動蓋式の閉蓋具２００の第３の実施の形態を示している。ラッチ舌部２１０は勝手な開封の防止を確保する細片２０４の一体的な構成部分として形成されていて、閉蓋具本体２１４の環状の肩部２１２に向かって半径方向内向きかつ下向きに勝手な開封の防止を確保する細片２０４の上部側から延出している。ラッチ舌部２１０の自由端部は環状の肩部２１２から軸方向にある間隔のところで終端している。回動する蓋２０８に向けられたラッチエッジ２０２の側面は閉蓋具本体２１４の環状の肩部２１２に向かって半径方向内向きに傾斜していて、ラッチエッジ２０２に向けられた少なくともひとつのスナップインフック２０６の側面はそれに対応して傾斜している。ラッチエッジ２０２に向けられたスナップインフック２０６の側面は蓋シェル２１６の底部エッジ２２６と同じレベルに配列されていて、この部分の底部エッジ２２６の高さはスナップインフック２０６の高さ分だけ低くされている（図２２）。
【００３０】
ラッチ舌部２１０のための蓋シェル２１６の軸方向のガイド溝２２４を形成する半径方向内向きに後退したＵ形の部分２１８内に配列されたスナップインフック２０６には、半径方向の凹部２２０の領域に少なくともひとつの半径方向外側のラッチ肩部２２２が設けられていて、ラッチ肩部２２２は回動する蓋２０８が閉じた位置では勝手な開封の防止を確保する細片２０４のラッチ舌部２１０のラッチエッジ２０２の下側で係合する（図２２）。勝手な開封の防止を確保する細片２０４のラッチ舌部２１０のための軸に平行なガイド溝２２４は、ラッチ端部２１０を含めた勝手な開封の防止を確保する細片２０４の半径方向の寸法および回動する蓋２０８のスナップインフック２０４の半径方向の寸法の合計にほぼ相当する分だけ半径方向内側に変位している。閉じた位置では、ラッチ舌部２１０はプレストレスを与えた状態でラッチフック２０６を環状の肩部２１２の外側部分８４で力が適合したおよび形状が適合した形態で段部８２に固定し、その結果、把持リッジ７４が勝手な開封の防止を確保する細片２０４の上部エッジを覆って係合しているので、予め決められた破壊箇所を壊さずに勝手な開封の防止を確保する細片２０４を許可なく折り曲げることが実質的に不可能になる。
【図面の簡単な説明】
【００３１】
【図１】本発明に基づく開いた回動蓋式の閉蓋具を三次元的に示した斜視図である。
【図２】図４の線ＩＩ−ＩＩに沿った開いた回動蓋式の閉蓋具の縦断面図である。
【図３】閉じた状態の図１および図２の回動蓋式の閉蓋具の中央縦断面図である。
【図４】図１の開いた回動蓋式の閉蓋具の平面図である。
【図５】図４の線Ｖ−Ｖに沿った図１から図４の回動蓋式の閉蓋具の別の断面図である。
【図６】閉じた状態の図５の回動蓋式の閉蓋具を示す図である。
【図７】閉じた状態の図１から図６の回動蓋式の閉蓋具の正面図である。
【図８】図５の矢印ＶＩＩＩの向きで見た開いた回動蓋式の閉蓋具を示す図である。
【図９】開いた位置の本発明に基づく回動蓋式の閉蓋具の第２の実施の形態の斜視図である。
【図１０】図９の回動蓋式の閉蓋具の平面図である。
【図１１】図９の矢印ＸＩの向きで見た開いた回動蓋式の閉蓋具の背面図である。
【図１２】図１０の線ＸＩＩ−ＸＩＩに沿った回動蓋式の閉蓋具の中央縦断面図である。
【図１３】図９の矢印ＸＩＩＩの向きで見た回動蓋式の閉蓋具の開いた状態での閉蓋具本体の正面図である。
【図１４】閉じた状態の図１２の回動蓋式の閉蓋具を示す図である。
【図１５】図９から図１４の閉じた回動蓋式の閉蓋具の正面図である。
【図１６】回動蓋式の閉蓋具の第３の実施の形態の斜視図である。
【図１７】図１６の開いた回動蓋式の閉蓋具の平面図である。
【図１８】図１７の線ＸＶＩＩＩ−ＸＶＩＩＩに沿った中央縦断面図である。
【図１９】図１６の矢印ＸＩＸの向きで見た図１６から図１８の開いた回動蓋式の閉蓋具の背面図である。
【図２０】図１６の矢印ＸＸの向きで見た開いた回動蓋式の閉蓋具の正面図である。
【図２１】閉じた状態の図１８の回動蓋式の閉蓋具の中央縦断面図である。
【図２２】図１６から図２１の閉じた回動蓋式の閉蓋具の正面図である。
【符号の説明】
【００３２】
３０  回動蓋式の閉蓋具
３２  閉蓋具本体
３４  蓋
３６  キャップシェル
３８  貫通チャネル
４０  ねじ山
４１  勝手な開封の防止を確保する細片
４２  環状の肩部
４３  内側突起部
４４  出口ノズル
４６  密閉リップ部
４８  蓋シェル
５０  出口開口
５２  ヘッド壁
５４  スタブ
５６  ヒンジ
５８  凹部
６０  勝手な開封の防止を確保する細片
６２  底部エッジ
６４  破壊箇所
６６  引き剥がし開口
６８  スナップインフック
７０  ラッチエッジ
７２  切欠き部
７４  把持リッジ
７６  上部エッジ
７８  固定ピン
８０  固定開口
８２  段部
８４  円周面
１００  回動蓋式の閉蓋具
１０２  保持要素
１０４  勝手な開封の防止を確保する細片
１０６  横材
１０８  環状の肩部
１１０  第２の脚部
１１２  蓋シェル
１１４  回動する蓋
１１８  凹部
１２０  把持リッジ
２００  回動蓋式の閉蓋具
２０２  ラッチエッジ
２０４  勝手な開封の防止を確保する細片
２０６  スナップインフック
２０８  回動する蓋
２１０  ラッチ舌部
２１２  環状の肩部
２１４  閉蓋具本体
２１６  蓋シェル
２１８  Ｕ形の部分
２２０  凹部
２２２  ラッチ肩部
２２４  ガイド溝
【図１】
2005529804.tif 000003
【図２】
2005529804.tif 000004
【図３】
2005529804.tif 000005
【図４】
2005529804.tif 000006
【図６】
2005529804.tif 000007
【図７】
2005529804.tif 000008
【図５】
2005529804.tif 000009
【図８】
2005529804.tif 000010
【図９】
2005529804.tif 000011
【図１０】
2005529804.tif 000012
【図１１】
2005529804.tif 000013
【図１２】
2005529804.tif 000014
【図１３】
2005529804.tif 000015
【図１４】
2005529804.tif 000016
【図１５】
2005529804.tif 000017
【図１６】
2005529804.tif 000018
【図１７】
2005529804.tif 000019
【図１８】
2005529804.tif 000020
【図１９】
2005529804.tif 000021
【図２０】
2005529804.tif 000022
【図２１】
2005529804.tif 000023
【図２２】
2005529804.tif 000024
【手続補正書】
【提出日】平成17年2月9日(2005.2.9)
【手続補正１】
【補正対象書類名】図面
【補正対象項目名】図５
【補正方法】変更
【補正の内容】
【図５】
2005529804.tif 000025
【手続補正２】
【補正対象書類名】図面
【補正対象項目名】図９
【補正方法】変更
【補正の内容】
【図９】
2005529804.tif 000026
【手続補正３】
【補正対象書類名】図面
【補正対象項目名】図１６
【補正方法】変更
【補正の内容】
【図１６】
2005529804.tif 000027
【国際調査報告】
2005529804.tif 000028
2005529804.tif 000029
2005529804.tif 000030
2005529804.tif 000031
2005529804.tif 000032
2005529804.tif 000033